【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
遊技の雰囲気を盛り上げるための効果音を出力するスピーカと、
所定の遊技を実現するための統括的な制御を実行する主制御基板と、
この主制御基板から与えられる制御信号に基づいて、上記遊技に付随させて上記スピーカから出力させるべき効果音に対応したデジタル音声信号を、上記スピーカに向けて出力する音声制御基板と、
上記スピーカの近傍に配置されていて、上記音声制御基板から出力されるデジタル音声信号に基づいてアナログ音声信号を生成し、この生成したアナログ音声信号を上記スピーカに駆動信号として入力するスピーカ駆動装置を含み、
上記スピーカ駆動装置は、上記音声制御基板から出力されるデジタル音声信号に応じたデューティのＰＷＭ信号を生成するＰＷＭ信号生成回路と、このＰＷＭ信号生成回路で生成されたＰＷＭ信号を上記アナログ音声信号に変換するためのローパスフィルタとを備えたものであることを特徴とする遊技機。
【請求項２】
上記スピーカ駆動装置は、上記ＰＷＭ信号生成回路で生成されたＰＷＭ信号をデジタル信号のまま増幅するデジタルアンプ回路をさらに有し、
このデジタルアンプ回路によって増幅されたＰＷＭ信号が上記ローパスフィルタに与えられるようになっていることを特徴とする請求項１記載の遊技機。
【請求項３】
上記スピーカは、複数備えられ、
複数の上記スピーカは、遊技機本体において互いに離れた位置に配置されており、
上記スピーカ駆動装置は、各スピーカに対応づけて設けられていることを特徴とする請求項１または２記載の遊技機。
【請求項４】
遊技の雰囲気を盛り上げるための効果音を出力する複数のスピーカと、
所定の遊技を実現するための統括的な制御を実行する主制御基板と、
この主制御基板から与えられる制御信号に基づいて、上記遊技に付随させて上記複数のスピーカから出力させるべき効果音に対応したデジタル音声信号を、各スピーカに向けて出力する音声制御基板と、
各スピーカに対応づけられて設けられ、上記音声制御基板から出力されるデジタル音声信号に基づいてアナログ音声信号を生成し、この生成したアナログ音声信号を各スピーカに駆動信号として入力するスピーカ駆動装置と
を含むことを特徴とする遊技機。
【請求項５】
上記複数のスピーカは、遊技機本体の前扉に配置されたフロントスピーカと、遊技機本体内の背面側に配置されたリアスピーカとを含むことを特徴とする請求項３または４記載の遊技機。
【請求項６】
上記複数のスピーカは、遊技機本体の前扉に左右一対に配置されたフロントスピーカを含むことを特徴とする請求項３ないし５のいずれかに記載の遊技機。
【手続補正２】
【補正対象書類名】明細書
【補正対象項目名】００１１
【補正方法】変更
【補正の内容】
【００１１】
【課題を解決するための手段および発明の効果】
上記の目的を達成するための請求項１記載の発明は、遊技の雰囲気を盛り上げるための効果音を出力するスピーカ（ＦＬＳ，ＦＲＳ，ＲＳ）と、所定の遊技を実現するための統括的な制御を実行する主制御基板（６）と、この主制御基板から与えられる制御信号に基づいて、上記遊技に付随させて上記スピーカから出力させるべき効果音に対応したデジタル音声信号を、上記スピーカに向けて出力する音声制御基板（７）と、上記スピーカの近傍に配置されていて、上記音声制御基板から出力されるデジタル音声信号に基づいてアナログ音声信号を生成し、この生成したアナログ音声信号を上記スピーカに駆動信号として入力するスピーカ駆動装置（８）を含み、上記スピーカ駆動装置は、上記音声制御基板から出力されるデジタル音声信号に応じたデューティのＰＷＭ信号を生成するＰＷＭ信号生成回路（８１）と、このＰＷＭ信号生成回路で生成されたＰＷＭ信号を上記アナログ音声信号に変換するためのローパスフィルタ（８３）とを備えたものであることを特徴とする遊技機である。
【手続補正３】
【補正対象書類名】明細書
【補正対象項目名】００１２
【補正方法】変更
【補正の内容】
【００１２】
なお、括弧内の英数字は、後述の実施形態における対応構成要素等を表す。以下、この項において同じ。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
請求項１の発明の構成によれば、音声制御基板から大きく離れた位置にスピーカが配置されていても、アナログ音声信号が伝送されるのは、スピーカとその近傍に配置されたローパスフィルタとの間の非常に短い距離であるから、そのアナログ音声信号からの輻射ノイズが遊技機内に配置された他の電子部品に悪影響を与えるおそれがない。また、スピーカに与えられるアナログ音声信号に外部からノイズが混入するおそれがなく、スピーカから歪みや雑音の少ない良好な音質の効果音を出力させることができる。
また、請求項２に記載のように、上記スピーカ駆動装置は、上記ＰＷＭ信号生成回路で生成されたＰＷＭ信号をデジタル信号のまま増幅するデジタルアンプ回路（８２）をさらに有し、このデジタルアンプ回路によって増幅されたＰＷＭ信号が上記ローパスフィルタに与えられるようになっていてもよい。この構成のスピーカ駆動装置では、アナログ音声信号を増幅する従来装置とは異なり、アナログ音声信号の増幅によって生じる信号波形の歪みの問題を回避することができ、スピーカから歪みのない高音質な効果音を出力させることができる。
さらに、請求項３に記載のように、上記スピーカは、複数備えられ、複数の上記スピーカは、遊技機本体（１）において互いに離れた位置に配置されており、上記スピーカ駆動装置は、各スピーカに対応づけて設けられていてもよい。この構成によれば、スピーカ駆動装置において各スピーカを駆動するためのアナログ音声信号が生成され、生成されたアナログ音声信号が各スピーカに与えられる。したがって、複数のスピーカ全てから歪みのない高音質な効果音を出力させることができる。
【手続補正６】
【補正対象書類名】明細書
【補正対象項目名】００１５
【補正方法】変更
【補正の内容】
【００１５】
請求項４記載の発明は、遊技の雰囲気を盛り上げるための効果音を出力する複数のスピーカと、所定の遊技を実現するための統括的な制御を実行する主制御基板と、この主制御基板から与えられる制御信号に基づいて、上記遊技に付随させて上記複数のスピーカから出力させるべき効果音に対応したデジタル音声信号を、各スピーカに向けて出力する音声制御基板と、各スピーカに対応づけられて設けられ、上記音声制御基板から出力されるデジタル音声信号に基づいてアナログ音声信号を生成し、この生成したアナログ音声信号を各スピーカに駆動信号として入力するスピーカ駆動装置とを含むことを特徴とする遊技機である。
この構成によれば、各スピーカに対応づけて設けられたスピーカ駆動装置において、各スピーカを駆動するためのアナログ音声信号が生成され、生成されたアナログ音声信号が各スピーカに与えられる。したがって、複数のスピーカ全てから歪みのない高音質な効果音を出力させることができる。
【手続補正７】
【補正対象書類名】明細書
【補正対象項目名】００１６
【補正方法】変更
【補正の内容】
【００１６】
上記複数のスピーカは、請求項５に記載のように、遊技機本体の前扉に配置されたフロントスピーカと、遊技機本体内の背面側に配置されたリアスピーカとを含むものであってもよい。
また、上記複数のスピーカは、請求項６に記載のように、遊技機本体の前扉に左右一対に配置されたフロントスピーカを含むものであってもよい。